(57)【要約】      （修正有）【課題】構造のシンプルさと、内容物の取り出しやすさとを兼ね備えた収納ケースを提供する。【解決手段】閉じた状態において互いに対向する表表紙部５１及び裏表紙部５３と、表表紙部５１及び裏表紙部５３を開閉可能に連結する背表紙部５２と有する外装部材４１と、裏表紙部５３に対してその周辺部に立設された側壁部３３を有し、側壁部３３で囲まれる内部空間３５に内容物を収納する身部３１と、表表紙部５１に設けられて、表表紙部５１と裏表紙部５３とを対向させて閉じた状態において、側壁部３３に接して身部３１を覆う蓋部２１と有する内装部材１１とを備え、側壁部３３において背表紙部５２から離れた位置に、内部空間３５と外部とを連通する開口部３４が設けられている。【選択図】図１
2017105496.tif 000002
【特許請求の範囲】
【請求項１】
閉じた状態において互いに対向する表表紙部及び裏表紙部と、該表表紙部及び該裏表紙部を開閉可能に連結する背表紙部と有する外装部材と、
該裏表紙部に対してその周辺部に立設された側壁部を有し、該側壁部で囲まれる内部空間に内容物を収納する身部と、該表表紙部に設けられて、該表表紙部と該裏表紙部とを対向させて閉じた状態において、該側壁部に接して該身部を覆う蓋部と有する内装部材とを備え、
該側壁部において該背表紙部から離れた位置に、該内部空間と外部とを連通する開口部が設けられている
ことを特徴とする収納ケース。
【請求項２】
該開口部は、該側壁部において該背表紙部と対向する位置に設けられている
ことを特徴とする請求項１に記載の収納ケース。
【請求項３】
該側壁部と、該表表紙部に対してその周辺部に立設された該蓋部の側壁部との少なくとも一方は、該背表紙部の側が開口している
ことを特徴とする請求項１または請求項２に記載の収納ケース。
【請求項４】
該外装部材が、印刷用紙の一方の面に画像が印刷されている表装材と、該表装材の他方の面に接着されている芯材とを有する
ことを特徴とする請求項１〜３のいずれか一項に記載の収納ケース。
【請求項５】
該表装材の画像が印刷されている面にプラスチックフィルムからなる被覆材が設けられている
ことを特徴とする請求項１〜４のいずれか一項に記載の収納ケース。
【請求項６】
写真アルバムの収納に用いられる
ことを特徴とする請求項１〜５のいずれか一項に記載の収納ケース。
【発明の詳細な説明】
【技術分野】
【０００１】
本発明は、内容物を収納する収納ケースに関するものである。
【背景技術】
【０００２】
収納ケースとして、単に内容物を収納して保管するだけではなく、取り出しやすさを向上させた収納ケースが知られている。例えば、特許文献１に記載の収納ケースでは、連結部を介して蓋部と連結する第一アングルと、この第一アングルに左端が折り曲げ自在に連結されて、本の移動を阻止する凸部が形成された中敷とを備えている。特許文献１に記載の収納ケースによれば、蓋部を開けたときに、内容物である本に凸部が当接して中敷とともに本がせり出し、中敷の左端から本が突出することで、本を容易に取り出すことができる。
【先行技術文献】
【特許文献】
【０００３】
【特許文献１】特開２０１２−３０５６２号公報
【発明の概要】
【発明が解決しようとする課題】
【０００４】
ところで、収納ケースは、内容物によっては長期間の保管を行うことがあり、ケースの開閉と、収納または取り出しを繰り返し行った場合にも、内容物を支障なく取り出すことができることが要求される。このような観点からは、収納ケースには、構造的にシンプルであることが好ましい。
【０００５】
本発明は、上記のような課題に鑑みなされたもので、本発明の目的の一つは、構造のシンプルさと、内容物の取り出しやすさとを兼ね備えた収納ケースを提供することである。なお、この目的に限らず、後述する発明を実施するための形態に示す各構成により導かれる作用効果であって、従来の技術によっては得られない作用効果を奏することも本発明の他の目的である。
【課題を解決するための手段】
【０００６】
（１）ここで開示する収納ケースは、閉じた状態において互いに対向する表表紙部及び裏表紙部と、該表表紙部及び該裏表紙部を開閉可能に連結する背表紙部と有する外装部材と、該裏表紙部に対してその周辺部に立設された側壁部を有し、該側壁部で囲まれる内部空間に内容物を収納する身部と、該表表紙部に設けられて、該表表紙部と該裏表紙部とを対向させて閉じた状態において、該側壁部に接して該身部を覆う蓋部と有する内装部材とを備え、該側壁部において該背表紙部から離れた位置に、該内部空間と外部とを連通する開口部が設けられている。
【０００７】
（２）このとき、該開口部は、該側壁部において該背表紙部と対向する位置に設けられていることが好ましい。
（３）また、該側壁部と、該表表紙部に対してその周辺部に立設された該蓋部の側壁部との少なくとも一方は、該背表紙部の側が開口していることが好ましい。
（４）さらに、該外装部材が、印刷用紙の一方の面に画像が印刷されている表装材と、該表装材の他方の面に接着されている芯材とを有することが好ましい。
（５）また、該表装材の画像が印刷されている面にプラスチックフィルムからなる被覆材が設けられていることが好ましい。
（６）ここで開示する収納ケースは、写真アルバムの収納に用いられることが好ましい。
【発明の効果】
【０００８】
本発明によれば、構造のシンプルさと、内容物の取り出しやすさとを兼ね備えた収納ケースを提供することができる。
【図面の簡単な説明】
【０００９】
【図１】本実施形態の収納ケースの開いた状態を示す模式図である。
【図２】本実施形態の収納ケースの閉じた状態を示す模式図である。
【図３】本実施形態の外装部材の表装材と芯材との関係を示す模式図である。
【図４】本実施形態の外装部材の開いた状態を示す模式図である。
【図５】本実施形態の収納ケースのやや開いた状態を示す模式図である。
【発明を実施するための形態】
【００１０】
以下、図面を参照して本発明の実施の形態について説明する。なお、以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができるとともに、必要に応じて取捨選択することができ、あるいは適宜組み合わせることが可能である。
【００１１】
［１．収納ケースの構造］
図１，図２，図５に示すように、本実施形態に係る収納ケース１は、開閉可能な外装部材４１と、外装部材４１に設けられて内容物１００を収納する内装部材１１とを備えて構成される。なお、図１では、外装部材４１を展開した状態を示しており、この状態では収納ケース１が開かれた状態となっている。一方、図２では、外装部材４１を折り曲げた状態を示しており、この状態では収納ケース１が閉じた状態となっている。また、図５では、内容物１００を収納した収納ケース１がやや開いている状態を示している。
【００１２】
外装部材４１は、収納ケース１を閉じた状態において互いに対向する表表紙部５１及び裏表紙部５３と、表表紙部５１及び裏表紙部５３を連結部５４ａ，５４ｂを介して開閉可能に連結する背表紙部５２とを有する。外装部材４１は、略長方形の平板状の部材である。外装部材４１が連結部５４ａ，５４ｂにおいて内側に各々およそ９０度ずつ折り曲げられることで、表表紙部５１と裏表紙部５３とが、背表紙部５２の長さ分の間隔を開けて対向する。本実施形態に係る表表紙部５１及び裏表紙部５３は略正方形状であるが、これに限定されず、縦長または横長の長方形状であってもよい。図２に示すように、収納ケース１を閉じた状態において、表表紙部５１の外側には画像８１が印刷されている。なお、以降、連結部５４ａ，５４ｂを特に区別しない場合には、「連結部５４」と同じ符号を付して称する場合がある。
【００１３】
＜外装部材＞
図３，図４に示すように、外装部材４１は、印刷用紙の一方の面に画像８１が印刷されている表装材６１と、表装材６１の他方の面に接着されて設けられている芯材７１とを有する。芯材７１は、表芯材７２、背芯材７３、及び裏芯材７４からなり、これらはそれぞれ、表表紙部５１、背表紙部５２、及び裏表紙部５３に対応する位置に配置されている。表芯材７２、背芯材７３、及び裏芯材７４は、表表紙部５１、背表紙部５２、及び裏表紙部５３と同様の形状となっている。以降、外装部材４１の画像８１が印刷される面を外側、他方の芯材７１が設けられる面を内側と称する。また、以降、表芯材７２、背芯材７３、及び裏芯材７４を特に区別しない場合には、これらをあわせて「芯材７１」と称する場合がある。
【００１４】
図３に示すように、表芯材７２、背芯材７３、及び裏芯材７４を所定の間隔を開けて並べた状態で、表装材６１は、これらの芯材７１よりも上下左右ともに大きいサイズとなっている。表装材６１に芯材７１が接着された状態で、表装材６１の周辺部は芯材７１よりも周囲に広がっている。図４に示すように、表装材６１の周辺部が、芯材７１が接着されている面の側に折り返されて、芯材７１の周辺部を包むように接着される。さらに、背芯材７３、表芯材７２の右端、裏芯材７４の左端、及び折り返された表装材６１の上下の中央端部を覆うようにして、化粧紙６２が接着して設けられる。
【００１５】
表装材６１は、収納ケース１の外側をなして、後述するように連結部５４ａ、５４ｂを構成することから、強度を有する素材を用いることが好ましい。また、画像８１を印刷するために印刷性に優れた素材であることが好ましい。表装材６１の素材としては、紙（洋紙）、合成紙、プラスチックが用いられる。
【００１６】
化粧紙６２には、製本に用いられる化粧紙を適宜用いることができるが、内装部材１１の色と同じ色をした化粧紙を用いることが、美観の向上の点からは好ましい。
【００１７】
芯材７１には、外装部材４１を支持するために十分な強度を有する素材を用いることが好ましい。芯材７１の素材としては、例えば、厚紙、プラスチック材が用いられる。加工性及びコストの面からは、厚紙が好ましく、中でも板紙（ボール紙）が好ましい。
【００１８】
図３に示すように、表芯材７２と背芯材７３、及び背芯材７３と裏芯材７４とは、所定の間隔を開けて表装材６１に貼り付けられている。表装材６１において、表芯材７２、背芯材７３、及び裏芯材７４が貼り付けられた部分は、これらの芯材７１により裏打ちされて自由な変形が抑えられている。これに対して、表装材６１のうち、表芯材７２と背芯材７３、及び背芯材７３と裏芯材７４に挟まれて、芯材７１が貼り付けられていない部分が、表装材６１が折り曲げられて収納ケース１を開閉可能に変形可能する、連結部５４ａ、５４ｂとなる。
【００１９】
表装材６１の画像８１が印刷されている面には、印刷された画像８１の上に、プラスチックフィルムからなる被覆材６３が設けられている。被覆材６３は、例えば、表装材６１に熱と圧力をかけながらプラスチックフィルムを接着するラミネート加工により設けることができる。
【００２０】
＜内装部材＞
図１に示すように、内装部材１１は、内部空間３５に内容物１００を収納する身部３１と、表表紙部５１と裏表紙部５３とを対向させて閉じた状態において、身部３１を覆って閉じる蓋部２１とを有する。
【００２１】
蓋部２１及び身部３１には、内容物１００を収納するために十分な強度を有する素材を用いることが好ましい。蓋部２１及び身部３１としては、例えば、厚紙、プラスチック材が用いられる。加工性及びコストの面からは、厚紙が好ましく、中でも板紙（ボール紙）が好ましい。
【００２２】
身部３１は、内部空間３５の下方に位置する底壁部３２と、底壁部３２の周端部から上方に立ち上がって、内部空間３５の側方の周囲を囲む側壁部３３とを有する。身部３１は、底壁部３２が裏芯材７４に接着されることで、裏表紙部５３の内側に貼り付けられている。このとき、側壁部３３は、裏表紙部５３に対してその周辺部に立設されている。
【００２３】
身部３１の側面部となる側壁部３３において、背表紙部５２から離れた位置には、内部空間３５と外部とを連通する開口部３４が設けられている。開口部３４が設けられる位置は、側壁部３３の図１中上側、下側、左側、右側のいずれの側面部であってもよい。内容物１００を取り出しやすくする観点から、図１に示すように、収納ケース１を開いた状態において、側壁部３３において背表紙部５２と対向する位置で且つ中央の位置に開口部３４が設けられていることが好ましい。
【００２４】
開口部３４の形状は特に限定されないが、例えばＵ字形、Ｖ字形、半月形、または矩形が挙げられる。開口部３４は、身部３１の側壁部３３の一部を切除して切り欠きを形成することで設けてもよく、または予め開口部３４が設けられるよう身部３１の側壁部３３を成形するようにしてもよい。開口部３４を通じて内容物１００を取り出しやすくする観点からは、開口部３４は少なくとも側壁部３３の高さの半分以上の深さまで設けられていることが好ましい。また、収納ケース１を閉じた際に内部空間３５と外部とを遮断して、湿気や光による内容物１００への影響を避ける観点からは、開口部３４は側壁部３３の高さの全体にわたって設けられておらず、底壁部３２に達しない程度の深さまで設けられていることが好ましい。
【００２５】
蓋部２１は、表表紙部５１と裏表紙部５３とを対向させて閉じた状態において内部空間３５の上方に位置する底壁部２２と、底壁部３２の周端部から上方に立ち上がって、身部３１の側壁部３３の外側周囲に接する側壁部２３とを有する。蓋部２１は、底壁部２２が表芯材７２に接着されることで、表表紙部５１の内側に貼り付けられている。このとき、側壁部２３は、表表紙部５１に対してその周辺部に立設されている。さらに、収納ケース１を閉じた状態において、蓋部２１は身部３１を覆って、内部空間３５を閉じた状態にする。
【００２６】
蓋部２１の側壁部２３と、身部３１の側壁部３３との少なくとも一方は、背表紙５２側が開口している。本実施形態では、側壁部２３及び側壁部３３は、ともに四角形の壁面のうち一つの面が開口したコ字形状を有している。側壁部２３及び側壁部３３は、コ字形状の開かれた部分を互いに背表紙部５２側に向けて設けられている。これにより、収納ケース１を閉じた状態において、蓋部２１の底壁部２２と、身部３１の底壁部３２と、側壁部３３の三方の面と、背表紙部５２とによって、内部空間３５が囲まれる。
【００２７】
図２に示すように、収納ケース１を閉じた状態においては、蓋部２１が身部３１を閉じることにより、蓋部２１の側壁部２３が、身部３１の側壁部３３の周囲を覆うことで、側壁部３３及び開口部３４が外部に露出しないようになっている。このため、蓋部２１は身部３１と同様の形状であって、側壁部２３の内寸が側壁部３３の外寸と比べて同程度かやや長くなるよう、蓋部２１のサイズは身部３１よりも若干大きくなっている。また、側壁部２３の高さは、側壁部３３の高さと底壁部３２の厚みとを合わせた長さと比べて同程度かやや長くなっている。
【００２８】
蓋部２１及び身部３１は、表面を覆うようにして化粧紙が貼り付けられており、美観及び強度を向上させている。化粧紙は、少なくとも蓋部２１の側壁部２３、及び身部３１の側壁部３３の外側の側面部を覆うことが好ましく、さらに側壁部２３及び側壁部３３の内側の上方端部も覆うことがより好ましく、側壁部２３及び側壁部３３の上面全体を覆うことがさらに好ましい。
【００２９】
［２．収納ケースの製造方法］
本実施形態の収納ケース１の製造方法は、作業の順序に従って、外装部材作成工程、内装部材作成工程、及び組立工程を備えて構成される。
【００３０】
＜外装部材作成工程＞
外装部材４１の製造は、公知のくるみ表紙の製造方法を用いて行うことができる。
具体的には、まず表装材６１を構成する印刷用紙の外側の面に画像８１の印刷を行う。本実施形態では、作業性及びコストの面からロール紙状の印刷用紙を用いる。このとき、表表紙部５１に印刷される画像８１に加えて、背表紙部５２及び裏表紙部５３に別の画像の印刷を行ってもよい。また、印刷する画像８１は、写真、または図形、さらには文字を含んだものであってもよい。画像８１の印刷方法は特に限定されないが、例えばインクジェットプリンタを用いて行うことができる。さらに、画像８１の印刷を行った印刷用紙を、ロール紙から切り出す。
【００３１】
次に、切り出された印刷用紙にラミネート加工を施して、印刷用紙の表面にプラスチックフィルムからなる被覆材６３を設ける。ラミネート加工は、少なくとも画像８１が印刷されている外側の面に行う。ラミネートはラミネーターを用いて行うことができる。ラミネート加工は、マット（非光沢）であってもよく、グロス（光沢）であってもよい。
【００３２】
続いて、ラミネート加工が施された印刷用紙を、収納ケース１及び芯材７１のサイズに合わせてカットを行うとともに、４方の隅のカットを行う。これにより、図３に示すように、長方形の４方の隅がカットされた形状の表装材６１が得られる。
【００３３】
さらに、表装材６１及び芯材７１を用いて、くるみ貼りを施した外装部材４１を作成する。
くるみ貼りは、まず、表装材６１の印刷及びラミネート加工をしていない側の面（裏面）に、接着剤を塗布する。接着剤は、特に限定されないが、例えば、にかわ、でんぷん糊などの天然系接着剤、ホットメルト型接着剤、エマルジョン型接着剤を用いることができる。接着性、作業性、及びコストの観点から、にかわ系接着剤を用いることが好ましい。接着剤の塗布は、接着剤を付着させたローラーに対して表装材６１を接触させて搬送することにより、表装材６１の一面の全体に塗布することができる。
【００３４】
図３に示すように、表装材６１の接着剤を塗布した面に、表芯材７２、背芯材７３、及び裏芯材７４を並べて配置する。このとき、表芯材７２と背芯材７３との間、及び背芯材７３と裏芯材７４との間は、背表紙部５２に対して表表紙部５１または裏表紙部５３を、連結部５４を介して折り曲げことができる程度に間隔を開けて配置する。この間隔は芯材７１の厚み、及び表装材６１の厚みまたは素材に応じて適宜設定すればよく、例えば５ｍｍにすることができる。
【００３５】
続いて、図４に示すように、芯材７１を配置した表装材６１において、芯材７１より広がっている上下左右の辺の部分を折り返して、全体をプレスすることにより、芯材７１と表装材６１とを接着する。さらに、背芯材７３、連結部５４、表芯材７２及び裏芯材７４の連結部５４と隣接した部分、並びに表装材６１が折り返された上下の端部を覆うようにして、化粧紙６２を貼り付ける。この状態で、再度全体のプレスを行い、化粧紙６２を接着することで、外装部材４１が得られる。
【００３６】
＜内装部材作成工程＞
蓋部２１は、底壁部２２と、底壁部２２の三方に延在する三つの矩形片とを有する板状の部材から、三つの矩形片を同じ側に９０度折り曲げて、隣接する矩形片同士を接着して側壁部２３を形成することにより作成する。続いて、蓋部２１の外部を包むようにして化粧紙を貼り付けることで、蓋部２１が得られる。
【００３７】
身部３１は、蓋部２１と同様に、底壁部３２と、底壁部３２の三方に延在する三つの矩形片とを有する板状の部材から、三つの矩形片を同じ側に９０度折り曲げて、隣接する矩形片同士を接着して側壁部３３を形成することにより作成する。身部３１では、さらに、側壁部３３を構成するいずれか一辺の壁部の一部を切除して、開口部３４を形成する。続いて、身部３１の外部を包むようにして化粧紙を貼り付けることで、身部３１が得られる。
【００３８】
＜組立工程＞
外装部材作成工程で作成された外装部材４１に、内装部材１１で作成された蓋部２１及び身部３１を貼り付けることで、収納ケース１の組立を行う。貼り付けは、蓋部２１の底壁部２２及び身部３１の底壁部３２の外側の表面に両面粘着テープを貼り付けておき、または接着剤を塗布しておき、この状態の蓋部２１及び身部３１を、表芯材７２及び裏芯材７４にそれぞれ貼り合わせることにより行う。貼り合わせは、まず、蓋部２１と身部３１とを組み合せて、底壁部２２及び底壁部３２が相対する側面に位置するようにして、コ字状の開かれた部分を下方に向けて、内装部材１１を立てた状態にする。この状態の内装部材１１を背表紙部５２の上に置き、表表紙部５１及び裏表紙部５３を、底壁部２２及び底壁部３２に接するように立ち上げることで、貼りあわせを行う。このようにして、予め蓋部２１と身部３１とを組み合せた状態で貼り合わせを行うことで、収納ケース１を閉じた際に蓋部２１と身部３１とが適切な位置関係で閉じ合わせることができる。
【００３９】
［３．作用、効果］
本実施形態に係る収納ケース１は、上述のように構成されるため、以下のような作用及び効果を得ることができる。
【００４０】
（１）上記の収納ケース１は、表表紙部５１と裏表紙部５３とを有する外装部材４１と、身部３１と蓋部２１とを有する内装部材１１を備える。さらに収納ケース１は、身部３１の側壁部３３において、背表紙部５２から離れた位置に、内部空間３５と外部とを連通する開口部３４が設けられている。収納ケース１の内容物１００を取り出そうとする者は、通常、まずは裏表紙部５３の端部に右手を添えて収納ケース１を支えた状態で、表表紙部５１を左手で持ち上げることで、収納ケース１を開く。次に、内容物１００を取り出すにあたって、収納ケース１を開けた者は、裏表紙部５３の端部を支えていた右手を、開口部３４を通過するように内容物１００に向けて横方向に移動させることで、内容物１００に直接アクセスすることができる。さらに、開口部３４から一部露出する内容物１００の側面部または側面下部に対して、開口部３４を通じて右手で触れることで、内容物１００を持ち上げて取り出すことができる。
【００４１】
ここで、従来の収納ケースでは、収納された内容物１００を取り出そうとする際には、右手を一旦持ち上げてから、内容物１００を収納する壁部をまたいで、この壁部と内容物１００との間に指を差し入れる必要があった。またこのとき、壁部と内容物１００との間に指を割り込ませて、指を挿入するスペースを確保する必要があるため、壁部または内容物１００の変形が生じるおそれがあった。
【００４２】
一方で、上記の収納ケース１によれば、開口部３４を通じて、内容物１００へのアクセスと取り出しを容易に行うことができる。また、取り出しに伴う内容物１００や収納ケース１への変形が生じるおそれがない。
【００４３】
また、収納ケース１は、蓋部２１によって覆われる身部３１に開口部３４が設けられている。これにより、収納ケース１を閉じた収納状態では、開口部３４が蓋部２１の側壁部２３によって覆われた状態となる。よって、収納ケース１は、収納状態では開口部３４が塞がれて、内部空間３５が外部から隔絶されることにより、内部空間３５の状態を一定に保ち、湿気や温度、日光による内容物１００の変化を防ぐことができる。
【００４４】
さらに、収納ケース１は、例えば稼動部によって取り出しを容易にするものではなく、開口部３４によって取り出しを容易に行うことを可能とする、シンプルな構造を備えている。このため、収納ケース１は、製造が容易であって生産性に優れるとともに、耐久性が優れたものとなる。
【００４５】
（２）収納ケース１を開く際には、表表紙部５１の中でも、背表紙部５２から離れた小口側の部分を持つことで、梃子の原理から少ない力で表表紙部５１を回動させて、収納ケース１を開くことができる。このため、通常は表表紙部５１において背表紙部５２と対向する位置に指を当てて収納ケース１を開くことになる。上記の収納ケース１は、側壁部３３において、背表紙部５２と対向する位置に開口部３４が設けられていることにより、収納ケース１を開ける際の指の位置と、内容物１００を取り出すための開口部３４の位置とが一致するため、より取り出しやすさを向上させることができる。
【００４６】
さらに、開口部３４は、側壁部３３において背表紙部５２と対向する位置で、且つ中央の位置に開口部３４が設けられている。これにより、上述したように右手で内容物１００を取り出す状態から、収納ケース１を上下１８０度反転した状態で、左手で内容物１００を取り出す場合であっても、指の位置と開口部３４との位置関係が、右手の場合と同様となる。よって、右利き用、左利き用に共用の収納ケース１を形成することができる。
【００４７】
（３）上記の収納ケース１では、身部３１の側壁部３３と、蓋部２１の側壁部２３との少なくとも一方は、背表紙部５２側が開口している。これにより、背表紙部５２に連結された表表紙部５１及び裏表紙部５３が、連結部５４ａ，５４ｂを支点として回動するようにして収納ケース１が開く際に、裏表紙部５３に立設された側壁部３３と、表表紙部５１に対して立設された側壁部２３との背表紙部５２側における干渉を防いで、スムーズに開閉を行うことができる。
【００４８】
（４）上記の収納ケース１は、外装部材４１が、印刷用紙の一方の面に画像８１が印刷されている表装材６１と、表装材６１の他方の面に接着されている芯材７１とを有する。これにより、収納ケース１によれば、画像８１を表面に印刷可能な表装材６１によってデザイン性を備えるとともに、表装材６１の裏面を裏打ちする芯材７１によって強度を確保することができる。
【００４９】
さらに、収納ケース１では、化粧紙６２によって背芯材７３を覆う。また、蓋部２１及び身部３１によって表芯材７２及び裏芯材７４をそれぞれ覆う。これにより、芯材７１が表面に露出することが無くなり、美観を向上させることができる。さらに、化粧紙６２と蓋部２１及び身部３１とによって、芯材７１と、芯材７１の周辺部に折り返されている表装材６１の端部とを含めて覆うことにより、いっそう美観を向上させることができる。
【００５０】
（５）上記の収納ケース１では、表装材６１の画像８１が印刷されている面にプラスチックフィルムからなる被覆材６３が設けられている。これにより、収納ケース１表面の防汚性と水に対する耐性が増すとともに、汚れやこすれなどによる画像８１の劣化も抑えることができる。さらには、被膜材６３によって表装材６１の強度が増すことで、収納ケース１の開閉に伴う連結部５４の折り曲げストレスに対しても耐性が増加する。
【００５１】
（６）上記の収納ケース１では、上述したように湿気や温度、日光に対する変化を抑制する特性を有しているが、このような特性は、内容物１００が写真アルバムである場合に特に有効である。よって、収納ケース１は、写真アルバム用の収納ケース１として好適に用いることができる。
【００５２】
［４．その他］
上述した実施形態では、裏表紙部５３に身部３１が設けられて、表表紙部５１に蓋部２１が設けられている場合について説明した。この場合、収納ケース１は左開きであって、右手で内容物１００を取り出すのに適した形状である。内装部材１１と外装部材４１との関係はこれに限定されず、上述の実施形態とは左右対称に、裏表紙部５３に蓋部２１が設けられて、表表紙部５１に身部３１が設けられてもよい。この場合、裏表紙部５３に画像８１を印刷しても良い。これにより、収納ケース１が右開きであって、左手で内容物１００を取り出すのに適した形状となる。
【００５３】
上述した実施形態では、蓋部２１の側壁部２３、及び身部の側壁部３３が、ともに一つの面が開口したコ字形状を有している場合について説明した。側壁部２３，３３の構成はこれに限定されず、蓋部２１の側壁部２３が、背表紙５２側の面が開口したコ字形状を有しており、身部３１の側壁部３３が開口面を有さない四角形の壁面を有する形状であってもよい。この場合、内容物１００の周囲を側壁部３３が覆うことで、湿気や温度、日光による影響をさらに抑えることが可能となる。また、この場合には、収納ケース１の開閉に伴う、側壁部２３と側壁部３３との背表紙部５２側における干渉を避けることができる。さらに、この場合には、内容物１００を取り出す際に、内容物１００を側壁部３３の背表紙部５２側の面に押し当てることで、内容物１００を引き上げて持ち上げやすくなる。
【符号の説明】
【００５４】
１  収納ケース
１１  内装部材
２１  蓋部
２２  蓋部の底壁部
２３  蓋部の側壁部
３１  身部
３２  身部の底壁部
３３  身部の側壁部
３５  内部空間
３４  開口部
４１  外装部材
５１  表表紙部
５２  背表紙部
５３  裏表紙部
５４  連結部
６１  表装材
６２  化粧紙
６３  被覆材
７１  芯材
７２  表芯材
７３  背芯材
７４  裏芯材
８１  画像
１００  内容物
【図１】
2017105496.tif 000003
【図２】
2017105496.tif 000004
【図３】
2017105496.tif 000005
【図４】
2017105496.tif 000006
【図５】
2017105496.tif 000007